(57)【要約】【課題】  本発明は、着霜状態の推定を安価でかつ確実に検知可能とし、適切なデフロストを行うことで、暖房運転時の快適性を向上した空気調和機を提供することを課題とする。【解決手段】  本発明に係る空気調和機は、室内機と、圧縮機，室外送風機，室外送風機を駆動する室外送風機モータ、及び室外熱交換器を有する室外機と、を備え、暖房運転時の室外送風機の負荷に基づいて、室外熱交換器に付着した霜を除去するデフロストを開始する。本発明によれば、着霜状態の推定を安価でかつ確実に検知可能とし、適切なデフロストを行うことで、暖房運転時の快適性を向上した空気調和機を提供することができる。【選択図】図４
2010032107.tif 000002
【特許請求の範囲】
【請求項１】
室内機と、圧縮機，室外送風機，前記室外送風機を駆動する室外送風機モータ、及び室外熱交換器を有する室外機と、を備えた空気調和機において、前記室外送風機の負荷に基づいて、前記室外熱交換器に付着した霜を除去するデフロストを開始することを特徴とする空気調和機。
【請求項２】
請求項１において、前記室外送風機の負荷は、少なくとも前記室外送風機モータの電流値及び前記室外送風機の回転数の何れかであることを特徴とする空気調和機。
【請求項３】
室内機と、圧縮機，室外送風機，前記室外送風機を駆動する室外送風機モータ、及び室外熱交換器を有する室外機と、を備えた空気調和機において、前記室外送風機モータの電流値Ｉmがデフロストを開始する電流値ＩD以上となった場合にデフロストを開始することを特徴とする空気調和機。
【請求項４】
請求項３において、前記電流値ＩDが外気温度に依存することを特徴とする空気調和機。
【請求項５】
請求項３又は４において、現在の前記室外送風機モータの電流値Ｉmと一定時間過去の前記室外送風機モータの電流値Ｉ0との偏差ΔＩmがデフロストを開始する電流偏差ΔＩD以上となった場合にデフロストを開始することを特徴とする空気調和機。
【請求項６】
請求項５において、前記電流偏差ΔＩDが外気温度に依存することを特徴とする空気調和機。
【請求項７】
室内機と、圧縮機，室外送風機，前記室外送風機を駆動する室外送風機モータ、及び室外熱交換器を有する室外機と、を備えた空気調和機において、現在の前記室外送風機モータの電流値Ｉmと一定時間過去の前記室外送風機モータの電流値Ｉ0との偏差ΔＩmがデフロストを開始する電流偏差ΔＩD以上となった場合、前記室外熱交換器に付着した霜を除去するデフロストを開始することを特徴とする空気調和機。
【請求項８】
請求項７において、前記電流偏差ΔＩDが外気温度に依存することを特徴とする空気調和機。
【請求項９】
室内機と、圧縮機，室外送風機，前記室外送風機を駆動する室外送風機モータ、及び室外熱交換器を有する室外機と、前記室外送風機モータの駆動回路に対して過電流防止制御を行う制御装置と、を備えた空気調和機において、前記室外送風機モータの駆動回路に所定値以上の電流が流れて前記過電流防止制御が作動し、前記室外送風機の回転数Ｎがデフロストを開始する回転数ＮD以下となった場合、前記室外熱交換器に付着した霜を除去するデフロストを開始することを特徴とする空気調和機。
【請求項１０】
請求項９において、前記回転数ＮDが外気温度に依存することを特徴とする空気調和機。
【請求項１１】
請求項９又は１０において、現在の前記室外送風機の回転数Ｎと一定時間過去の前記室外送風機の回転数Ｎ0との偏差ΔＮがデフロストを開始する回転数偏差ΔＮD以上となった場合にデフロストを開始することを特徴とする空気調和機。
【請求項１２】
請求項１１において、前記回転数偏差ΔＮDが外気温度に依存することを特徴とする空気調和機。
【請求項１３】
室内機と、圧縮機，室外送風機，前記室外送風機を駆動する室外送風機モータ、及び室外熱交換器を有する室外機と、前記室外送風機モータの駆動回路に対して過電流防止制御を行う制御装置と、を備えた空気調和機において、現在の前記室外送風機の回転数Ｎと一定時間過去の前記室外送風機の回転数Ｎ0との偏差ΔＮがデフロストを開始する回転数偏差ΔＮD以上となった場合、前記室外熱交換器に付着した霜を除去するデフロストを開始することを特徴とする空気調和機。
【請求項１４】
請求項１３において、前記回転数偏差ΔＮDが外気温度に依存することを特徴とする空気調和機。
【請求項１５】
請求項１乃至１４の何れかにおいて、前記室外熱交換器の温度が所定値以上となった場合にデフロストを開始することとし、前記所定値が外気温度に依存することを特徴とする空気調和機。
【発明の詳細な説明】
【技術分野】
【０００１】
本発明は、暖房運転時に室外熱交換器の霜を除去する除霜運転を行うヒートポンプ式空気調和機に関する。
【背景技術】
【０００２】
ヒートポンプ式空気調和機は、暖房運転時、室内熱交換器は高温に、室外熱交換器は低温になる。そのため、外気温が低い時は室外熱交換器の温度が０℃以下となり、外気中の水分が室外熱交換器に付着して霜となる。室外熱交換器に霜が付着したまま暖房運転を継続すると、霜が成長して、室外熱交換器の熱交換性能を低下させ、その結果、暖房能力が低下する。
【０００３】
これを防止するために、一般的なヒートポンプ式空気調和機では、ある程度霜が付着すると、霜を溶かす除霜運転（以下「デフロスト」という。）を行う。デフロストは、空気調和機の運転状態を暖房運転から冷房運転に切換えて室外熱交換器に高温の冷媒を流すことで、室外熱交換器の温度を上昇させ、付着した霜を溶かす運転である。デフロストは冷房運転であるので、使用者からは暖房運転を停止している状態となる。つまり、デフロストはヒートポンプ式空気調和機の暖房運転時の快適性を低下させる要因の一つとなる。
【０００４】
そこで、従来の技術では、外気温と室外熱交換器の温度から着霜状態を推定し、制限時間を設けるなどして、頻繁にはデフロストを行わないようにしていた（例えば「特許文献１」参照）。
【０００５】
しかしながら、外気温と室外熱交換器の温度を用いた従来の技術では、あくまで着霜状態を推定しているだけであり、デフロスト開始条件の設定によっては、着霜が少ない場合でもデフロストを行ってしまう場合や、着霜が多いにも関わらずデフロストを行わない場合があった。また、デフロスト開始条件の設定は、外気温と実際に着霜した状態での室外熱交換器温度から決めなければならず、暖房能力の違いや着霜状況の違いについての考慮が必要であり、設定に多くの時間を費やしていた。
【０００６】
そこで、室外機に湿度センサを取り付け、外気の湿度を検出して着霜状態の推定の精度を向上させることも可能であるが、湿度センサの精度やコストの問題があり、現実的な解決手段ではない。
【０００７】
【特許文献１】特開平２−８５６２９号公報
【発明の開示】
【発明が解決しようとする課題】
【０００８】
本発明は、着霜状態の推定を安価でかつ確実に検知可能とし、適切なデフロストを行うことで、暖房運転時の快適性を向上した空気調和機を提供することを課題とする。
【課題を解決するための手段】
【０００９】
本発明に係る空気調和機は、室内機と、圧縮機，室外送風機，室外送風機を駆動する室外送風機モータ、及び室外熱交換器を有する室外機と、を備え、暖房運転時の室外送風機の負荷に基づいて、室外熱交換器に付着した霜を除去するデフロストを開始する。
【発明の効果】
【００１０】
本発明によれば、着霜状態の推定を安価でかつ確実に検知可能とし、適切なデフロストを行うことで、暖房運転時の快適性を向上した空気調和機を提供することができる。
【発明を実施するための最良の形態】
【００１１】
本発明に係る空気調和機においては、室外送風機の負荷を監視することで、室外熱交換器の着霜状態を判断する。
【００１２】
図１は室外熱交換器の霜の付着の有無による室外送風機の負荷の変化を示す図である。暖房運転時に室外送風機７は暖房能力に応じてある一定回転数で回転しており、室外送風機７の負荷は回転数が一定であれば一定の値となる。図１に示すように室外熱交換器３に霜が付いた場合、暖房運転時間に応じて霜の付着量が増加し、室外熱交換器３の通風抵抗が大きくなる。室外熱交換器３の通風抵抗が大きくなると、室外送風機７の負荷が上昇する。
【００１３】
従って、室外熱交換器３に付着する霜の量によって、室外熱交換器３の通風抵抗が変化し、室外送風機７の負荷も変化するため、室外送風機７の負荷を監視することにより、外気温や熱交換器温度に頼らずに室外熱交換器３の着霜状態を判断することが可能となる。つまり、暖房運転時の室外送風機の負荷に基づいて、室外熱交換器に付着した霜を除去するデフロストの開始を判断することが可能となる。以下、図面を用いて、本発明に係る実施例を説明する。
【実施例１】
【００１４】
本発明の第１の実施例を図２−図４を用いて説明する。本実施例は、室内機と、圧縮機１，室外送風機７，室外送風機７を駆動する室外送風機モータ、及び室外熱交換器３を有する室外機と、を備えた空気調和機において、暖房運転時の室外送風機７の負荷に基づいて、室外熱交換器３に付着した霜を除去するデフロストを開始するものであり、特に室外送風機モータ６の電流Ｉmがデフロスト開始電流値ＩDを超えた場合にデフロストを開始する。
【００１５】
図２は第１の実施例における空気調和機の構成図である。室内機と、圧縮機１，室外送風機７，室外送風機７を駆動する室外送風機モータ、及び室外熱交換器３を有する室外機と、を備えた空気調和機において、制御装置９が室外送風機７の回転数を制御する。制御装置９は、室外送風機を駆動する室外送風機モータ６に流れる電流Ｉmをモータ電流検出手段により検出し、室外送風機７の回転数を一定に保持するようにモータ電流Ｉmを調整している。
【００１６】
図３は室外熱交換器の霜の付着の有無による室外送風機モータの電流の変化を示す図である。前述したように、室外熱交換器３に霜が付着した場合は、暖房運転時間に応じて霜の量が増加し、室外熱交換器３の通風抵抗が増加するため、室外送風機７の負荷が増加する。従って、図３に示すように、室外送風機モータ電流Ｉmに基づいて、着霜量が増加していることを判断することが可能となる。
【００１７】
図４は本実施例における制御のフローチャートを示している。まず、暖房運転時に室外送風機モータ６の電流Ｉmを検出する。次に、検出されたに室外送風機モータ６の電流Ｉmがデフロスト開始電流値ＩD以下の場合は暖房運転を継続し、検出されたに室外送風機モータ６の電流Ｉmがデフロスト開始電流値ＩDを超えた場合はデフロストを行う。
【００１８】
本実施例によれば、室内機と、圧縮機１，室外送風機７，室外送風機７を駆動する室外送風機モータ、及び室外熱交換器３を有する室外機と、を備えた空気調和機において、暖房運転時の室外送風機７の負荷に基づいて、室外熱交換器３に付着した霜を除去するデフロストを開始するものであり、特に室外送風機モータ６の電流Ｉmがデフロスト開始電流値ＩDを超えた場合にデフロストを開始する。従って、室外熱交換器３の着霜量に応じて適切なデフロストを行うことができ、暖房運転時の快適性の向上を図ることができる。また、外気温検出手段１３や室外熱交換器温度検出手段１４などを用いることなく着霜量が判定できるため、コストの低減が可能となる。
【実施例２】
【００１９】
本発明の第２の実施例を図５−図８を用いて説明する。本実施例は、室内機と、圧縮機１，室外送風機７，室外送風機７を駆動する室外送風機モータ，室外熱交換器３、及び外気温を検出する外気温検出手段１３とを有する室外機とを備える空気調和機において、室外送風機モータ６の電流Ｉmがデフロスト開始電流値ＩDを超えた場合にデフロストを開始するとともに、外気温に応じてデフロストを開始するモータ電流ＩDを変化させるものである。
【００２０】
図５は第２の実施例における空気調和機の構成図である。室内機と、圧縮機１，室外送風機７，室外送風機７を駆動する室外送風機モータ，室外熱交換器３、及び外気温を検出する外気温検出手段１３とを有する室外機とを備える空気調和機において、制御装置９が室外送風機７の回転数を制御する。
【００２１】
外気温の低下に従って室外熱交換器温度も低下するが、空気中に含まれる水分は温度の低下に従って少なくなる。従って、外気温が低い場合は室外熱交換器３の着霜量も少なくなる。従来の技術においてはこの特性を利用して、所定の外気温度において、室外熱交換器温度がある温度以下になった場合にデフロストを実施していた。図６は外気温とデフロスト開始室外熱交換器温度との関係を示す図である。
【００２２】
外気温が低く室外熱交換器３に付着する霜の量が少量の場合、モータ電流が増加するまでに時間がかかる。一般的なヒートポンプ式空気調和機は、外気温が低下するにつれて暖房能力も低下するため、室外熱交換器３に付着する霜の量が少量でも、暖房能力の低下が大きくなる場合も考えられる。
【００２３】
図７は外気温とデフロスト開始モータ電流の関係を示す図である。図７に示すように、外気温検出手段１３を用いて、外気温に応じてデフロストを開始するモータ電流ＩDを変化させることで、着霜による暖房能力の低下の影響が大きい条件で、適切にデフロストを行うことが可能となり、快適性能を向上した空気調和機を提供することができる。
【００２４】
図８は本実施例における制御のフローチャートである。まず、暖房運転時に外気温検出手段１３により外気温を検出し、外気温に応じたデフロスト開始モータ電流ＩDを算出する。その後、モータ電流Ｉmを検出し、デフロスト開始モータ電流ＩDと比べてモータ電流Ｉmが小さい場合は暖房運転を継続し、大きい場合はデフロストを開始する。
【００２５】
尚、室外熱交換器温度検出手段１４も使用し、外気温度と室外熱交換器温度によるデフロスト開始制御（所定の外気温度において、室外熱交換器温度がある温度以下になった場合にデフロストを実施）と併用し、最終的なデフロスト実行開始を室外送風機モータ電流Ｉmとデフロスト開始モータ電流ＩDとの関係を用いて判断してもよい。
【００２６】
本実施例によれば、室内機と、圧縮機１，室外送風機７，室外送風機７を駆動する室外送風機モータ，室外熱交換器３、及び外気温を検出する外気温検出手段１３とを有する室外機とを備える空気調和機において、室外送風機モータ６の電流Ｉmがデフロスト開始電流値ＩDを超えた場合にデフロストを開始するとともに、外気温に応じてデフロストを開始するモータ電流ＩDを変化させる。従って、室外熱交換器３の着霜量に応じて適切なデフロストを行うことができ、暖房運転時の快適性の向上を図ることができる。
【実施例３】
【００２７】
本発明の第３の実施例を図９を用いて説明する。本実施例は、室内機と、圧縮機１，室外送風機７，室外送風機７を駆動する室外送風機モータ、及び室外熱交換器３を有する室外機とを備える空気調和機において、現在の室外送風機のモータ電流Ｉmと一定期間過去のモータ電流Ｉ0との偏差ΔＩmがデフロストを開始するモータ電流の偏差ΔＩD以上となった場合にデフロストを開始するものである。
【００２８】
第１，２の実施例においては、室外機送風機の負荷に応じて変化する室外送風機モータ６の電流Ｉmがデフロスト開始電流値ＩDを超えた場合にデフロストを開始する。ここで、室外送風機モータの電流値Ｉmは室外送風機７の回転数によって異なるため、室外送風機７の回転数が高回転数の場合と低回転数の場合で、室外熱交換器３が着霜した時のモータ電流値が異なる場合がある。従って、デフロスト開始電流値ＩDは室外送風機７の回転数によって個別に設定した方がよいが、一般的に暖房能力によって、設定する室外送風機７の回転数が異なり、室内機風速によって室外送風機７の回転数を変化させている場合が多く、多くのデフロスト開始電流ＩDを設定する必要が出てくる。
【００２９】
しかしながら、室外熱交換器３に霜が付着した場合、室外送風機７の回転数がどのような値でも、モータ電流の増加は、着霜していない場合と比べて明らかに増加する。そこで、着霜していない場合のモータ電流と着霜時のモータ電流の偏差をデフロスト開始電流値ΔＩD、一定期間過去のモータ電流Ｉ0と現在のモータ電流Ｉmとの偏差ΔＩmとし、ΔＩmとΔＩDとの関係からデフロストの開始を判断する。これにより、室外送風機７の回転数に応じてデフロスト開始電流値を個別に設定することなく、適切にデフロストを開始することが可能となる。
【００３０】
図９は本実施例における制御のフローチャートである。まず、暖房運転時に一定間隔で室外送風機モータ電流Ｉmを検出する。次に、モータ電流Ｉmと一定期間過去のモータ電流Ｉ0の偏差ΔＩmを算出する。その後、ΔＩmとデフロスト開始電流偏差値ΔＩDと比較し、ΔＩmがΔＩDよりも小さい場合は暖房運転を継続し、大きい場合はデフロストを開始する。
【００３１】
尚、デフロスト開始電流偏差値ΔＩDを外気温に応じて変化させてもよい。
【００３２】
また、実施例１，２に記載のデフロスト開始の判断基準に加えて、さらに、現在の室外送風機のモータ電流Ｉmと一定期間過去のモータ電流Ｉ0との偏差ΔＩmがデフロストを開始するモータ電流の偏差ΔＩD以上となった場合にデフロストを開始するようにしてもよい。
【００３３】
本実施例によれば、室内機と、圧縮機１，室外送風機７，室外送風機７を駆動する室外送風機モータ、及び室外熱交換器３を有する室外機とを備える空気調和機において、現在の室外送風機のモータ電流Ｉmと一定期間過去のモータ電流Ｉ0との偏差ΔＩmがデフロストを開始するモータ電流の偏差ΔＩD以上となった場合にデフロストを開始する。従って、上記各実施例と同様の効果を奏するとともに、室外送風機７の回転数に応じてデフロスト開始電流値を個別に設定にすることなく、適切にデフロストを開始することが可能となる。
【実施例４】
【００３４】
本発明の第４の実施例を図１０及び図１１を用いて説明する。本実施例は、室内機と、圧縮機１，室外送風機７，室外送風機７を駆動する室外送風機モータ、モータ駆動回路の過電流防止制御、及び室外熱交換器３を有する室外機とを備える空気調和機において、モータ駆動回路の過電流防止制御が作動し、室外送風機７の回転数Ｎがデフロストを開始する回転数ＮD以下となった場合にデフロストを開始するものである。
【００３５】
実施例１と同様に、室内機と、圧縮機１，室外送風機７，室外送風機７を駆動する室外送風機モータ、及び室外熱交換器３を有する室外機と、を備えた空気調和機において、制御装置９が室外送風機７の回転数を制御する。制御装置９は、室外送風機モータ６に流れる電流Ｉmをモータ電流検出手段により検出し、室外送風機７の回転数を一定に保持するように室外送風機モータ６に流れるモータ電流Ｉmを調整する。
【００３６】
ここで、室外熱交換器３の着霜量が増加し、室外送風機７の負荷が上昇して、室外送風機モータ６に流れる電流が増加した場合、モータ駆動回路に過電流が流れ、回路の破損となる可能性がある。これを防止するため、モータ駆動回路に一定値以上の電流が流れた場合、モータ電流を下げて室外送風機７の回転数を下げることで、駆動回路の破損防止を行う過電流防止制御を行う。
【００３７】
図１０は、モータ駆動回路の過電流防止制御を備えた室外熱交換器３の霜の有無による室外送風機７回転数の変化を示す図である。前述したように、室外熱交換器３が着霜した場合は、暖房運転時間に応じて霜の量が増加し室外送風機７の負荷が増加する。室外送風機７の負荷が増加すると、過電流防止制御が作動し、室外送風機７の回転数が低下する。従って、室外送風機７の回転数の低下を検出することで、室外熱交換器３の着霜状態を判断することができる。
【００３８】
図１１は第４の実施例における制御のフローチャートである。暖房運転時おいて、室外送風機モータ６の電流Ｉmを検知し、モータ電流Ｉmがモータ駆動回路保護電流ＩLよりも大きい場合は、モータ電流Ｉmを下げるように制御する。その後、室外送風機７の回転数Ｎを検出し、室外送風機７の回転数Ｎがデフロスト開始回転数ＮDよりも大きい場合は暖房運転を継続し、ＮDよりも低下した場合はデフロストを行う。
【００３９】
本実施例によれば、室内機と、圧縮機１，室外送風機７，室外送風機７を駆動する室外送風機モータ，モータ駆動回路の過電流防止制御、及び室外熱交換器３を有する室外機とを備える空気調和機において、モータ駆動回路の過電流防止制御が作動し、室外送風機７の回転数Ｎがデフロストを開始する回転数ＮD以下となった場合にデフロストを開始する。従って、上記各実施例と同様の効果を奏するとともに、室外送風機モータ駆動回路８の過電流保護を行いつつ、室外熱交換器３の着霜量に応じて適切なデフロストを行うことができ、暖房運転時の快適性の向上を図ることが可能となる。
【実施例５】
【００４０】
本発明の第５の実施例を図１２及び図１３を用いて説明する。本実施例は、室内機と、圧縮機１，室外送風機７，室外送風機７を駆動する室外送風機モータ、モータ駆動回路の過電流防止制御、及び室外熱交換器３を有する室外機とを備える空気調和機において、モータ駆動回路の過電流防止制御が作動し、室外送風機７の回転数Ｎがデフロストを開始する回転数ＮD以下となった場合にデフロストを開始するものであり、外気温に応じてデフロストを開始する室外送風機７の回転数ＮDを変化させるものである。
【００４１】
基本的な空気調和機の構成は実施例４と同様であるので詳細な説明は省略する。図１２は外気温とデフロスト開始室外送風機回転数の関係を示す図である。本実施例においては、実施例２と同様に、外気温検出手段１３を用いて、図１２に示すように、外気温に応じてデフロストを開始する室外送風機７の回転数ＮDを変化させる。外気温に応じてデフロストを開始する室外送風機７の回転数ＮDを変化させることで、着霜による暖房能力の低下の影響が大きい条件であっても適切にデフロストを行うことが可能となり、快適性能を向上した空気調和機を適用することができる。
【００４２】
図１３は第５の実施例５における制御のフローチャートである。暖房運転時、室外送風機モータ電流Ｉmを検知し、モータ電流Ｉmがモータ駆動回路保護電流ＩLよりも大きい場合は、モータ電流Ｉmを下げるように制御する。その後、外気温検出手段１３により外気温を検出し、図１２に示すように、外気温に応じたデフロスト開始モータ電流ＩDを算出する。そして、室外送風機７の回転数Ｎを検出し、室外送風機７の回転数Ｎが外気温に応じたデフロスト開始回転数ＮDよりも大きい場合は暖房運転を継続し、室外送風機７の回転数Ｎがデフロスト開始回転数ＮDよりも小さい場合はデフロストを行う。
【００４３】
さらに、室外熱交換器温度検出手段１４も使用し、外気温度と室外熱交換器温度によるデフロスト開始制御（所定の外気温度において、室外熱交換器温度がある温度以下になった場合にデフロストを実施）と併用し、最終的なデフロスト実行開始を室外送風機７の回転数Ｎとデフロスト開始回転数ＮDとの関係を用いて判断してもよい。
【００４４】
また、実施例３と同様に、室外送風機７の回転数についても、一定期間の回転数偏差ΔＮを算出し、ΔＮがデフロスト開始回転数偏差ΔＮD以上となった場合にデフロストを開始するようにしてもよい。さらに、デフロスト開始回転数偏差ΔＮD値を外気温に応じて変化させてもよい。
【００４５】
以上、上記各実施例によれば、室外熱交換器の着霜状態を正確に検知し、適切なデフロストを行うことが可能となり、暖房運転時の快適性が向上した空気調和機を提供することができる。
【図面の簡単な説明】
【００４６】
【図１】室外熱交換器の霜の付着の有無による室外送風機の負荷の変化を示す図。
【図２】第１の実施例における空気調和機の構成図。
【図３】室外熱交換器の霜の付着の有無による室外送風機モータの電流の変化を示す図。
【図４】第１の実施例における制御フローチャート。
【図５】第２の実施例における空気調和機の構成図。
【図６】外気温とデフロスト開始室外熱交換器温度の関係を示す図。
【図７】外気温とデフロスト開始モータ電流の関係を示す図。
【図８】第２の実施例における制御フローチャート。
【図９】第３の実施例における制御フローチャート。
【図１０】モータ駆動回路の過電流防止制御を備えた場合の室外熱交換器の霜の有無による室外送風機回転数の変化を示す図。
【図１１】第４の実施例における制御フローチャート。
【図１２】外気温とデフロスト開始室外送風機回転数の関係を示す図。
【図１３】第５の実施例における制御フローチャート。
【符号の説明】
【００４７】
１  圧縮機
２  四方弁
３  室外熱交換器
４  絞り装置
５  室内熱交換器
６  室外送風機モータ
７  室外送風機
８  室外送風機モータ駆動回路
９  制御装置
１０  室内送風機
１１  室内送風機モータ
１２  室外送風機モータ電流検出手段
１３  外気温検出手段
１４  室外熱交換器温度検出手段
【図１】
2010032107.tif 000003
【図２】
2010032107.tif 000004
【図３】
2010032107.tif 000005
【図４】
2010032107.tif 000006
【図５】
2010032107.tif 000007
【図６】
2010032107.tif 000008
【図７】
2010032107.tif 000009
【図８】
2010032107.tif 000010
【図９】
2010032107.tif 000011
【図１０】
2010032107.tif 000012
【図１１】
2010032107.tif 000013
【図１２】
2010032107.tif 000014
【図１３】
2010032107.tif 000015